【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
ＩＰ端末装置の保有する通信機能の種類及びその接続先情報からなるＮＡＰＴＲリソースレコードを格納しＩＰ端末装置からの問合せに応じて前記ＮＡＰＴＲリソースレコードを返送するＥＮＵＭサーバとＩＰネットワークを介して接続される少なくとも一つの通信機能を有するＩＰ端末装置であって、
発呼に際して、発呼先ＩＰ端末装置に対応するＮＡＰＴＲリソースレコードを前記ＥＮＵＭサーバに問合わせて前記ＮＡＰＴＲリソースレコードを取得する取得手段と、
前記取得手段により取得したＮＡＰＴＲリソースレコードに含まれる前記発呼先ＩＰ端末装置の通信機能と自装置の通信機能とを比較し、自装置の通信機能に対応する通信機能が前記発呼先ＩＰ端末装置に設定されているか否かを判別する判別手段と、
前記判別手段により前記発呼先ＩＰ端末装置と自装置との両方に設定されていると判別した１つ又は複数の通信機能を表示する表示手段と、
前記表示手段に表示した通信機能のいずれかが操作者により選択されると、前記選択された通信機能を用いて前記発呼先ＩＰ端末装置との間の通信を制御する通信制御手段と、  を具備することを特徴とするＩＰ端末装置。
【請求項２】
前記判別手段は、前記発呼先ＩＰ端末装置と自装置との両方に設定されていると判別した１つ又は複数の通信機能毎に有効であることを示す有効情報を記憶手段に記憶し、
前記表示手段は、前記記憶手段に記憶された有効情報に基づいて、１つ又は複数の通信機能を表示することを特徴とする請求項１記載のＩＰ端末装置。
【請求項３】
前記通信制御手段は、前記表示手段に表示した同一の発呼先ＩＰ端末装置が保有する複数の通信機能から第１の通信機能が選択されると、前記発呼先ＩＰ端末装置との間で前記第１の通信機能による通信を制御し、続いて、前記複数の通信機能から第２の通信機能が選択されると、前記発呼先ＩＰ端末装置との間で前記第２の通信機能による通信を制御することを特徴とする請求項１記載のＩＰ端末装置。
【請求項４】
前記判別手段は、前記通信機能毎の有効情報を前記取得手段により取得した前記発呼先ＩＰ端末装置のＮＡＰＴＲリソースレコードと対応付けて前記記憶手段に保存することを特徴とする請求項２記載のＩＰ端末装置。
【請求項５】
ＩＰ端末装置の保有する通信機能の種類及びその接続先情報からなるＮＡＰＴＲリソースレコードを格納しＩＰ端末装置からの問合せに応じて前記ＮＡＰＴＲリソースレコードを返送するＥＮＵＭサーバとＩＰネットワークを介して接続される少なくとも一つの通信機能を有するＩＰ端末装置の通信機能表示方法であって、
発呼に際して、発呼先ＩＰ端末装置に対応するＮＡＰＴＲリソースレコードを前記ＥＮＵＭサーバに問合わせて前記ＮＡＰＴＲリソースレコードを取得し、
前記取得したＮＡＰＴＲリソースレコードに含まれる前記発呼先ＩＰ端末装置の通信機能と自装置の通信機能とを比較して自装置の通信機能に対応する通信機能が前記発呼先ＩＰ端末装置に設定されているか否かを判別し、
前記発呼先ＩＰ端末装置と自装置との両方に設定されていると判別した１つ又は複数の通信機能を表示部に表示することを特徴とする通信機能表示方法。
【手続補正２】
【補正対象書類名】明細書
【補正対象項目名】発明の名称
【補正方法】変更
【補正の内容】
【発明の名称】ＩＰ端末装置および通信機能表示方法
【手続補正３】
【補正対象書類名】明細書
【補正対象項目名】０００１
【補正方法】変更
【補正の内容】
【０００１】
本発明は、ＩＰ端末装置に関し、特に、ＥＮＵＭサーバを利用するＩＰ端末装置およびＩＰ端末装置の通信機能表示方法に関する。
【手続補正４】
【補正対象書類名】明細書
【補正対象項目名】０００８
【補正方法】変更
【補正の内容】
【０００８】
本発明は、ＩＰ端末装置の保有する通信機能の種類及びその接続先情報からなるＮＡＰＴＲリソースレコードを格納しＩＰ端末装置からの問合せに応じて前記ＮＡＰＴＲリソースレコードを返送するＥＮＵＭサーバとＩＰネットワークを介して接続される少なくとも一つの通信機能を有するＩＰ端末装置であって、発呼に際して、発呼先ＩＰ端末装置に対応するＮＡＰＴＲリソースレコードを前記ＥＮＵＭサーバに問合わせて前記ＮＡＰＴＲリソースレコードを取得する取得手段と、前記取得手段により取得したＮＡＰＴＲリソースレコードに含まれる前記発呼先ＩＰ端末装置の通信機能と自装置の通信機能とを比較し、自装置の通信機能に対応する通信機能が前記発呼先ＩＰ端末装置に設定されているか否かを判別する判別手段と、前記判別手段により前記発呼先ＩＰ端末装置と自装置との両方に設定されていると判別した１つ又は複数の通信機能を表示する表示手段と、前記表示手段に表示した通信機能のいずれかが操作者により選択されると、前記選択された通信機能を用いて前記発呼先ＩＰ端末装置との間の通信を制御する通信制御手段と、を具備する構成を採る。
【手続補正５】
【補正対象書類名】明細書
【補正対象項目名】００１０
【補正方法】変更
【補正の内容】
【００１０】
本発明の第１の態様に係るＩＰ端末装置は、ＩＰ端末装置の保有する通信機能の種類及びその接続先情報からなるＮＡＰＴＲリソースレコードを格納しＩＰ端末装置からの問合せに応じて前記ＮＡＰＴＲリソースレコードを返送するＥＮＵＭサーバとＩＰネットワークを介して接続される少なくとも一つの通信機能を有するＩＰ端末装置であって、発呼に際して、発呼先ＩＰ端末装置に対応するＮＡＰＴＲリソースレコードを前記ＥＮＵＭサーバに問合わせて前記ＮＡＰＴＲリソースレコードを取得する取得手段と、前記取得手段により取得したＮＡＰＴＲリソースレコードに含まれる前記発呼先ＩＰ端末装置の通信機能と自装置の通信機能とを比較し、自装置の通信機能に対応する通信機能が前記発呼先ＩＰ端末装置に設定されているか否かを判別する判別手段と、前記判別手段により前記発呼先ＩＰ端末装置と自装置との両方に設定されていると判別した１つ又は複数の通信機能を表示する表示手段と、前記表示手段に表示した通信機能のいずれかが操作者により選択されると、前記選択された通信機能を用いて前記発呼先ＩＰ端末装置との間の通信を制御する通信制御手段と、を具備する構成を採る。
【手続補正６】
【補正対象書類名】明細書
【補正対象項目名】００１２
【補正方法】変更
【補正の内容】
【００１２】
本発明の第２の態様は、第１の態様に係るＩＰ端末装置において、前記判別手段は、前記発呼先ＩＰ端末装置と自装置との両方に設定されていると判別した１つ又は複数の通信機能毎に有効であることを示す有効情報を記憶手段に記憶し、前記表示手段は、前記記憶手段に記憶された有効情報に基づいて、１つ又は複数の通信機能を表示する構成を採る。
【手続補正７】
【補正対象書類名】明細書
【補正対象項目名】００１４
【補正方法】変更
【補正の内容】
【００１４】
本発明の第３の態様は、第１の態様に係るＩＰ端末装置において、前記通信制御手段は、前記表示手段に表示した同一の発呼先ＩＰ端末装置が保有する複数の通信機能から第１の通信機能が選択されると、前記発呼先ＩＰ端末装置との間で前記第１の通信機能による通信を制御し、続いて、前記複数の通信機能から第２の通信機能が選択されると、前記発呼先ＩＰ端末装置との間で前記第２の通信機能による通信を制御する構成を採る。
【手続補正８】
【補正対象書類名】明細書
【補正対象項目名】００１６
【補正方法】変更
【補正の内容】
【００１６】
本発明の第４の態様は、第２の態様に係るＩＰ端末装置において、前記判別手段は、前記通信機能毎の有効情報を前記取得手段により取得した前記発呼先ＩＰ端末装置のＮＡＰＴＲリソースレコードと対応付けて前記記憶手段に保存する構成を採る。
【手続補正９】
【補正対象書類名】明細書
【補正対象項目名】００１８
【補正方法】変更
【補正の内容】
【００１８】
本発明の第５の態様に係る通信機能表示方法は、ＩＰ端末装置の保有する通信機能の種類及びその接続先情報からなるＮＡＰＴＲリソースレコードを格納しＩＰ端末装置からの問合せに応じて前記ＮＡＰＴＲリソースレコードを返送するＥＮＵＭサーバとＩＰネットワークを介して接続される少なくとも一つの通信機能を有するＩＰ端末装置の通信機能表示方法であって、発呼に際して、発呼先ＩＰ端末装置に対応するＮＡＰＴＲリソースレコードを前記ＥＮＵＭサーバに問合わせて前記ＮＡＰＴＲリソースレコードを取得し、前記取得したＮＡＰＴＲリソースレコードに含まれる前記発呼先ＩＰ端末装置の通信機能と自装置の通信機能とを比較して自装置の通信機能に対応する通信機能が前記発呼先ＩＰ端末装置に設定されているか否かを判別し、前記発呼先ＩＰ端末装置と自装置との両方に設定されていると判別した１つ又は複数の通信機能を表示部に表示するものとする。
【手続補正１０】
【補正対象書類名】明細書
【補正対象項目名】００１９
【補正方法】変更
【補正の内容】
【００１９】
この方法によれば、発呼元ＩＰ端末装置のユーザは、発呼先ＩＰ端末装置の通信機能を調べる手間を省略することができ、誤った通信機能を選択するといった事態を防止することができる。